(57)【要約】【課題】画像形成装置等における一般的な構成の用紙カセットや用紙トレイへの用紙セットを可能とし、用紙セット作業の負担を軽減する。【解決手段】台車部１０は用紙載置部２０を昇降可能に支持する。用紙束Ｐを用紙保持部２６に載置して複写機等（図示せず）の給紙トレイまで搬送し、給紙トレイの上に用紙載置部２０を位置させる。駆動ユニット１２により昇降される用紙載置部２０をトレイ内に下降させ、支持板２３を移動させて用紙保持部２６の底面を開放させると、用紙束Ｐが給紙トレイ内にセットされる。【選択図】図１
2009029291.tif 000002
【特許請求の範囲】
【請求項１】
シート状の用紙を載置する用紙載置部と、該用紙載置部を支持して搬送する台車部とからなり、給紙装置の用紙収納部に用紙をセットするための用紙補給・搬送補助装置であって、
前記用紙載置部は、用紙が保持される保持部空間の両側に配置される１対のガイド部材と、前記保持部空間の底面部において用紙を支持する支持板とを有し、前記支持板が前記保持部空間の底面部を開放する位置と閉鎖する位置とに移動可能に設けられ、
前記台車部は、前記用紙載置部を昇降可能に支持するとともに、前記用紙載置部を昇降させるための駆動機構を備え、
用紙を載置した前記用紙載置部を給紙装置の用紙収納部の上方に位置させた後、前記駆動手段により前記用紙載置部を前記用紙収納部内に下降させ、前記支持板を前記開放位置に移動させることにより用紙を前記用紙収納部にセット可能なことを特徴とする用紙補給・搬送補助装置。
【請求項２】
前記支持板が屈曲可能に設けられ、前記ガイド部材の形状に沿ってスライド移動可能に設けられていることを特徴とする、請求項１に記載の用紙補給・搬送補助装置。
【請求項３】
前記支持板の駆動機構を備えることを特徴とする、請求項１または２に記載の用紙補給・搬送補助装置。
【請求項４】
前記１対のガイド部材間の距離が調節可能に設けられていることを特徴とする、請求項１に記載の用紙補給・搬送補助装置。
【請求項５】
前記１対のガイド部材は、それぞれ内側に用紙と当接して用紙をガイドする複数のリブが設けられていることを特徴とする、請求項１または４に記載の用紙補給・搬送補助装置。
【請求項６】
前記１対のガイド部材間を連絡して前記支持板をガイドする連絡ガイドを有することを特徴とする、請求項１，４，５のいずれか１項に記載の用紙補給・搬送補助装置。
【請求項７】
給紙装置の用紙収納部に当接して当該用紙補給・搬送補助装置の位置決めを行う位置決め手段を備えることを特徴とする、請求項１に記載の用紙補給・搬送補助装置。
【発明の詳細な説明】
【技術分野】
【０００１】
本発明は、大量の用紙を保持・搬送して複写機等の画像形成装置にセットする用紙補給・搬送補助装置に関するものである。
【背景技術】
【０００２】
【特許文献１】特開２００２−２４０９９６号公報
【特許文献２】特開昭６１−１２５３８号公報
【０００３】
従来、複写機やプリンタあるいはファクシミリ等の画像形成装置に用紙をセットする場合、用紙保管場所から画像形成装置までの搬送に台車等を使用することはあっても、画像形成装置のカセットやトレイ等への用紙のセットは、ユーザ（作業者）が手作業で行なっているのが現状である。
【０００４】
用紙のセット作業では、膝を曲げたり腰をかがめたりする姿勢が生じるため、ユーザ（作業者）に負担を与えていた。女性や高齢者にとってはきつい作業であり、また、近年の高速機等においてはセットする用紙枚数も大量であり、頻度も増えるため、ユーザに大きな負担を強いることとなる。
【０００５】
そこで、画像形成装置や印刷機等への用紙セットの負担を軽減するための装置・方法が従来より種々提案されている。
特許文献１には、ロール紙を把持するロール紙保持機構と、そのロール紙保持機構を昇降させる昇降機構と、ロール紙保持機構及び昇降機構を運搬する運搬機構とからなるロール紙セット補助装置が記載されている。
【０００６】
また、特許文献２には、台車上に取り付けた横木の上に紙積板を載せ、その紙積板上に用紙束を積載し、該台車を印刷機の給紙部に移動させて印刷機の昇降バーにより用紙束を積載した紙積板を上昇させ、所定の給紙位置にセットするようにした用紙装着方法が記載されている。
【発明の開示】
【発明が解決しようとする課題】
【０００７】
しかしながら、特許文献１に記載のものはロール紙のセットを補助するものであって、カット紙すなわちシート束を用いる一般的な画像形成装置等への用紙セットを行うものではない。また、特許文献２に記載のものは、昇降バーなど、装置側に専用の構成を設ける必要があり、汎用的な製品に対応するものではない。
【０００８】
本発明は、従来技術における上述の問題を解決し、画像形成装置等における一般的な構成の用紙カセットや用紙トレイへの用紙セットを可能とし、用紙セット作業の負担を軽減することのできる用紙補給・搬送補助装置を提供することを課題とする。
【課題を解決するための手段】
【０００９】
前記の課題は、本発明により、シート状の用紙を載置する用紙載置部と、該用紙載置部を支持して搬送する台車部とからなり、給紙装置の用紙収納部に用紙をセットするための用紙補給・搬送補助装置であって、前記用紙載置部は、用紙が保持される保持部空間の両側に配置される１対のガイド部材と、前記保持部空間の底面部において用紙を支持する支持板とを有し、前記支持板が前記保持部空間の底面部を開放する位置と閉鎖する位置とに移動可能に設けられ、前記台車部は、前記用紙載置部を昇降可能に支持するとともに、前記用紙載置部を昇降させるための駆動機構を備え、用紙を載置した前記用紙載置部を給紙装置の用紙収納部の上方に位置させた後、前記駆動手段により前記用紙載置部を前記用紙収納部内に下降させ、前記支持板を前記開放位置に移動させることにより用紙を前記用紙収納部にセット可能なことにより解決される。
【００１０】
また、前記支持板が屈曲可能に設けられ、前記ガイド部材の形状に沿ってスライド移動可能に設けられていると好ましい。
また、前記支持板の駆動機構を備えると好ましい。
【００１１】
また、前記１対のガイド部材間の距離が調節可能に設けられていると好ましい。
また、前記１対のガイド部材は、それぞれ内側に用紙と当接して用紙をガイドする複数のリブが設けられていると好ましい。
【００１２】
また、前記１対のガイド部材間を連絡して前記支持板をガイドする連絡ガイドを有すると好ましい。
また、給紙装置の用紙収納部に当接して当該用紙補給・搬送補助装置の位置決めを行う位置決め手段を備えると好ましい。
【発明の効果】
【００１３】
本発明の用紙補給・搬送補助装置によれば、画像形成装置等における一般的な構成の用紙カセットや用紙トレイへの用紙セットが可能となり、用紙セット作業の負担を軽減することができる。
【００１４】
本発明の用紙補給・搬送補助装置を用いた用紙セット作業では、重たい用紙を手作業で持ち上げたり運んだりする必要がないので、女性や高齢者であっても簡単かつ確実に用紙をセットすることができる。また、一度に大量の用紙をセットできるため、作業の頻度を減らすことも可能である。
【００１５】
請求項２の構成により、用紙載置部を給紙装置の用紙収納部内に下降させた状態で開放位置に移動させることができ、用紙を用紙収納部内にセットすることができる。
請求項３の構成により、支持板を駆動機構により移動させることができ、大量の用紙を積載した場合でも容易にセットすることができる。
【００１６】
請求項４の構成により、サイズの異なる用紙に対応できるとともに、その場合でも確実に用紙をガイドすることができる。また、用紙セット後に用紙載置部を上昇させる際の抵抗を無くすことができる。
【００１７】
請求項５の構成により、用紙側面を確実にガイドするとともに用紙載置時の抵抗を低減することができる。また、載置した用紙の静電気を除去することもできる。
請求項６の構成により、連絡ガイドにより支持板をガイドして支持板を支障なく移動させることができる。特に、指示板の閉鎖位置への移動時に有効である。
【００１８】
請求項７の構成により、用紙補給・搬送補助装置を適切な位置に位置決めすることが可能となり、給紙装置の用紙収納部に正確に用紙をセットすることができる。また、それにより、給紙不良を防止することができる。
【発明を実施するための最良の形態】
【００１９】
以下、本発明の実施の形態を図面に基づいて説明する。
図１は、本発明に係る用紙補給・搬送補助装置の一例を示す斜視図である。また、図２は、その用紙補給・搬送補助装置の３面図である。これらの図に示すように、本例の用紙補給・搬送補助装置１は、台車部１０と用紙載置部２０から構成される。
【００２０】
台車部１０は、側面から見ると“Ｌ”字形をしたメインフレーム１１を有しており、正面から見て左右２本の縦桁部１１ａ，１１ａの間に駆動ユニット１２が配置されている。また、２本の縦桁部１１ａ，１１ａの背面には、ハンドル１３，１３がそれぞれ装着固定されている。さらに、メインフレーム１１の、“Ｌ”字の短辺に相当する横桁部１１ｂ，１１ｂの下には、それぞれ２個ずつのキャスタ１５が装着されている。そして、縦桁部１１ａと横桁部１１ｂとが交わる交差部に位置してバッテリー１８が取り付けられている。また、交差部の一方側のフレーム外側面には、正面から見て“Ｌ”字形をしたガイドバー（位置決め手段）１４が突設されている。
【００２１】
用紙載置部２０は、互いに向き合うように配置された左右１対のガイド板（ガイド部材）２１，２１を有しており、その左右１対のガイド板２１，２１の間が用紙保持部２６となる。各ガイド板２１，２１は、それぞれ支持アーム２４，２４を介して台車部１０の駆動ユニット１２に装着支持され、台車部１０の横桁部１１ｂ，１１ｂの上方で縦桁部１１ａ，１１ａの前側に用紙載置部２０が支持され、後述するように、縦桁部１１ａ，１１ａに沿って用紙載置部２０が昇降可能となっている。上記ガイド板２１，２１には、支持板２３を移動可能に保持するための支持板保持部２２，２２が設けられている。支持板保持部２２，２２は、蛇腹状に構成され屈曲可能に設けられた支持板２３を内部に収めて移動可能に保持する保持空間を形成しており、支持板２３をガイド板２１，２１の外面（側面及び底面）に沿ってスライド移動可能に保持している。なお、図３，４にも示すように、左右のガイド板２１，２１は間に空間をもって配置されており、手前側端部と後側端部とに、それぞれ左右のガイド板２１，２１を連絡する連絡ガイド（ガイドレール）２５，２５が設けられている。なお、装置奥側（縦桁部１１ａ側）の連絡ガイド２５は、図ではガイド板２１に隠れて示されていない。
【００２２】
上記のように、屈曲可能に設けられた支持板２３は支持板保持部２２，２２内をスライド移動可能となっており、図２（ａ）及び図３に示すように、左右のガイド板２１，２１にまたがって支持板２３を位置させることにより、左右のガイド板２１，２１の間の底面部が支持板２３によって塞がれ、用紙保持部２６に用紙Ｐを載置することが可能となる。また、図４に示すように、支持板２３の一方側端部をガイド板２１から持ち上げて支持板２３の反対側端部が対向するガイド板２１から外れると、用紙載置部２６の底面に開口が形成され、支持板２３の引き上げに伴ってその開口は次第に広がってゆく。そして、支持板２３の反対側端部が一方側のガイド板２１内に完全に収納されると、左右のガイド板２１，２１及び前後の連絡ガイド２５，２５に囲まれた部分、すなわち用紙保持部２６の底面が開放される。なお、用紙保持部の底面を開放するために支持板２３を一方側のガイド板２１から完全に引き抜く必要は無い。また、どちら側のガイド板２１から支持板２３を引き上げた場合でも用紙保持部の底面開放は可能である。ガイド板２１，２１の内側には、図３，４からわかるように、複数のリブが上下方向に形成されている。
【００２３】
図５は、ガイド板２１と支持板２３を示す部分斜視図であり、（ｂ）図には支持板２３だけを取り出して示してある。支持板２３は例えばＰＣ−ＡＢＳ（ＰＣ／ＡＢＳ）樹脂で形成され、図に示すように、横方向に複数の溝部２３ａが設けられ、屈曲可能となっている。支持板２３は、本例ではユーザが手動で移動させる構成であるが、図６に示すように駆動手段で移動させる構成を採用すると作業性が向上する。
【００２４】
すなわち、図６において、支持板２３の両側にはラック２７，２７が一体的に形成されている。一方側のガイド板２１には、奥側に位置して駆動ユニット３０が装着されている。駆動ユニット３０は、駆動源としてのモータ３１，ギヤ列３２，２本のギヤ付きローラ３３，３３及び制御手段等から構成される。各ギヤ付きローラ３３，３３は、支持板２３のラック２７と噛合するようにガイド板２１の支持板保持部２２（図１，２参照）に回動可能に保持される。このような構成により、モータ３１によって支持板２３を上昇又は下降させることにより、用紙保持部２６の底面を開放又は閉鎖させることができる。支持板２３は、本例では滑りやすい６６ナイロン樹脂を使用している。これにより、積載する用紙束の重量に関わらず支持板２３の移動が容易になる。
【００２５】
なお、図７に示すように、一方側のガイド板２１の近傍に位置して、左右のガイド板２１，２１を連結する前後の（手前側と奥側の）連絡ガイド２５，２５に曲線部２５ａを設けることで、支持板２３が一方側のガイド板２１に引き込まれる際に支持板２３が弓なりに浮き上がることにより、用紙のガイド板２１への引き込み（巻き込み）が防止される。
【００２６】
前述したように、本例の用紙補給・搬送補助装置１では縦桁部１１ａ，１１ａに沿って用紙載置部２０が昇降可能となっている。その用紙載置部２０を昇降させる昇降機構について一例を説明する。
【００２７】
駆動ユニット１２（図１，２）内には、駆動手段としてのモータ（図示せず）が収納されており、そのモータによって回転駆動させる回転軸（図示せず）が、駆動ユニット１２の幅方向（図１（ａ）図の左右方向）の両端から外部に突出して設けられている。その回転軸の軸端にはギヤ（図示せず）が固着されている。一方、台車部１０においては、メインフレーム１１の縦桁部１１ａ，１１ａ内に図示しないラックが縦桁に沿って設けられており、縦桁部１１ａ，１１ａの内側側面（縦桁部１１ａ，１１ａが向かい合う面）にはスリット１１ｃ（図１）が開けられている。上記回転軸はこのスリット１１ｃから縦桁部１１ａ，１１ａ内に進入するように設けられ、軸端に固着された上記ギヤが縦桁部１１ａ，１１ａ内に設けられた上記ラックに噛合される。このような構成により、駆動ユニット１２のモータを回転制御することにより、用紙載置部２０を所定の位置に上昇又は下降させることができるように構成されている。
【００２８】
用紙載置部２０の昇降を制御するためのスイッチ１６が、図２（ｃ）に示すように、右側の縦桁部１１ａの後部に設けられている。なお、本例では、片手での操作が可能なように、スライドスイッチを採用している。また、図２（ｃ）に示すように、左側の縦桁部１１ａの後部には、図６で説明した支持板２３を駆動手段で移動させる構成において、駆動ユニット３０のモータを制御するスイッチ１７が設けられている。このスイッチ１７も、本例では片手での操作が可能なように、スライドスイッチを採用している。スライドスイッチは、本例では、上側にスライドさせれば用紙載置部２０及び支持板２３が上昇し、下側にスライドさせれば用紙載置部２０及び支持板２３が下降するように設定されている。ここで、支持板２３の上昇と下降は一方側のガイド板２１（用紙保持部２６の底面を開放したときに支持板２３が支持されている側のガイド板２１）に対して上昇又は下降することである。なお、駆動ユニット１２及び駆動ユニット３０のモータは、共に、バッテリー１８（図２）からの電力により駆動される。バッテリー１８は充電可能である。
【００２９】
上記スイッチ１６及びスイッチ１７は、縦桁部１１ａに対する取り付け位置（上下方向の）が調節可能に設けられており、すなわち、スイッチの高さをユーザが変更可能に設けられている。これにより、ユーザの身長に合わせて使い易い位置にスイッチ１６及びスイッチ１７を配置させることが可能となり、使いやすさを向上させている。
【００３０】
また、上述したように、左右のガイド板２１，２１はそれぞれ支持アーム２４，２４を介して台車部１０の駆動ユニット１２に装着支持されているが、ガイド板２１と支持アーム２４とは、図２（ａ）図においてガイド板２１が左右方向に移動できるように、ガイド板２１が支持アーム２４に支持されている。これにより、図８に示すように、左右のガイド板２１，２１は互いに離間又は接近できるようになっている。
【００３１】
次に、上記のように構成された用紙補給・搬送補助装置１による用紙のセット作業について説明する。
まず、図８で説明したように左右のガイド板２１，２１を離間又は接近させ、積載する用紙サイズに合わせた位置にする。支持板２３は、用紙保持部２６（図１、図２）の底面を閉鎖させた位置としておくことは言うまでもない。もし、用紙保持部２６の底面が開放されている場合は、支持板２３を移動させて底面を閉鎖する。
【００３２】
次に、図１に示すように、用紙束Ｐを左右のガイド板２１，２１に挟まれた支持板２３の上に載せる（用紙束Ｐを用紙保持部２６に保持させる）。その際、図９に示すように、左右のガイド板２１，２１に形成されたリブ２１ａが用紙束Ｐの両側面を押さえてガイドする。該リブ２１ａを設けたことにより、用紙側面を確実にガイドするとともに、用紙載置時の抵抗を低減することができる。
【００３３】
そして、用紙束Ｐを保持した用紙補給・搬送補助装置１を、用紙をセットすべき画像形成装置等のところまで移動させる。移動に際しては図１に示すように用紙載置部２０を下降させておいた方が安定性に優れるので好ましい。
【００３４】
図１０に示すように、画像形成装置１００の給紙トレイ１０１を引き出し、そのトレイよりも高くなるように、用紙載置部２０を上昇させる（用紙載置部２０を下降させておいた場合）。台車部１０の横桁部１１ｂを給紙トレイ１０１の下方に侵入させ、用紙載置部２０をトレイ１０１の上方に位置させる。その際、正確な載置場所に用紙載置部２０を位置させるために、図１１に示すように、台車部１０に設けたガイドバー１４を給紙トレイ１０１の前面に当てて台車部１０を位置決めする。台車部１０のキャスター１５にはストップレバー（図示せず）があるので、そのストップレバーを操作して用紙補給・搬送補助装置１が移動しないように固定する。
【００３５】
次に、左右のガイド板２１，２１を離間させ、左右ガイド板の間隔を用紙幅よりも広げる。これにより、用紙束Ｐは支持板２３（左右のガイド板２１，２１の間にある支持板２３）の上に保持される。そして、スイッチ１６を操作して用紙載置部２０を給紙トレイ１０１内の載置場所まで下降させる。さらに、スイッチ１７を操作して（あるいは手動により）支持板２３を上昇させ（一方側のガイド板２１に対して上昇させ）、図１２に示すように、用紙保持部２６の底面を開放させる。支持板２３の移動により用紙保持部２６の底面が開放されると用紙束Ｐが給紙トレイ１０１内にセットされる。
【００３６】
そして、図１３に示すように、用紙載置部２０を給紙トレイ１０１内から上昇させる。ここで、次の用紙セットのために支持板２３を下降させて用紙保持部２６の底面を閉鎖しても良い。以上で用紙のセットが完了したので、用紙補給・搬送補助装置１を移動させ画像形成装置から離す。
【００３７】
なお、支持板２３を駆動手段で移動させる構成（図６）を採用した場合は、用紙セット後に用紙載置部２０を上昇させた後、自動的に支持板２３を下降させて用紙保持部２６の底面を閉鎖するように構成しても良い。具体的には、用紙セット後に用紙載置部２０を上昇させてから所定時間経過後に支持板２３が移動するように（用紙保持部２６の底面を閉鎖するように）設けてやればよい。また、支持板２３が自動的に下降する（用紙保持部２６の底面を閉鎖する）タイミングを調節可能に構成すると好適である。
【００３８】
このように、本発明による用紙補給・搬送補助装置１によれば、通常の画像形成装置等における一般的な構成の用紙カセットや用紙トレイへの用紙セットを補助することができ、用紙セット作業の負担を軽減することができる。重たい用紙を手作業で持ち上げたり運んだりする必要がないので、女性や高齢者であっても簡単かつ確実に用紙をセットすることができる。また、一度に大量の用紙をセットできるため、作業の頻度を減らすことも可能である。
【００３９】
また、左右１対のガイド板２１，２１により用紙の両側面をガイドするので、搬送中に用紙を散逸させることが無い。さらに、支持板２３が用紙の底部分を保持するため、用紙の落下を防ぐことができる。
【００４０】
支持板２３を駆動手段により移動させる構成によれば、積載した用紙枚数が多い場合でも支持板を移動させることができ、確実な用紙セットが実現される。
ガイド板２１の内面側に設けたリブ形状２１ａに用紙束Ｐの側面が接触することで、用紙の静電気が除去され、用紙同士の貼り付きを防いで給紙不良を防止することができる。
【００４１】
また、ハンドル１３，１３が縦に長い形状となっているため、作業者の身長に関わらず用紙補給・搬送補助装置１を扱うことができる。
ところで、本例の用紙補給・搬送補助装置１は、未使用用紙のセットだけでなく排紙トレイに排出された印刷物の取り出し及び搬送作業にも使用可能である。次に、その印刷物の取り出し及び搬送作業について説明する。
【００４２】
図１４に示すように、画像形成装置１００の排紙装置１０２の側面に設けられた排紙トレイ１０３上に出力された用紙（印刷物）の束ＰＰがスタックされている。大量の印刷物ＰＰを取り出しかつ搬送するために、本例の用紙補給・搬送補助装置１を用いる。
【００４３】
図１５に示すように、用紙補給・搬送補助装置１を画像形成装置１００の排紙装置１０２の側面に移動させ、排紙トレイ１０３に対向させる。そして、上記したスイッチ１６を操作して用紙載置部２０を排紙トレイ１０３に対応する高さに移動させる。用紙載置部２０の端部が排紙トレイ１０３に当接して排紙トレイ１０３と用紙載置部２０とが連接されるように台車部１０を移動させ、キャスター１５のストップレバーを操作して用紙補給・搬送補助装置１が移動しないように固定する。そして、排紙トレイ１０３上にスタックされた印刷物ＰＰをスライドさせ、用紙載置部２０の支持板２３上に移動させる。後は、用紙補給・搬送補助装置１を所望の場所に移動させ、用紙載置部２０を下降又は上昇させたのち、支持板２３を移動させて用紙保持部２６の底面を開放させることで、印刷物ＰＰを所望の位置に載置することができる。
【００４４】
以上、本発明を図示例により説明したが、本発明はこれに限定されるものではない。例えば、用紙載置部２０を昇降させる機構として図示例ではメインフレーム１１の縦桁部１１ａ，１１ａ内にラックを設けた構成としたが、例えば、ウォーム棒（棒状のネジ）を用いた機構も採用できる。具体的には、縦桁部１１ａ，１１ａ内にウォーム棒を配置し、そのウォーム棒に嵌合させたボルト等に支持部材を介してガイド板２１を取り付けてやれば、ウォーム棒を回転させることでガイド板２１を、すなわち用紙載置部２０を昇降させることが可能である。該構成の場合、ウォーム棒を回転駆動する駆動ユニットはメインフレーム１１側に配置させることができる。あるいは、チェーンを用いた昇降機構も採用できる。
【００４５】
また、台車部１０を構成するフレーム構成なども適宜な構成のものを採用可能である。同様に、用紙載置部２０を構成するガイド板２１の形状なども適宜に変更可能である。支持板２３の駆動機構も適切な構成のものを採用可能である。
【００４６】
また、本発明による用紙補給・搬送補助装置は、画像形成装置等におけるフロントローディング式の用紙トレイ・用紙カセットに限らず、サイドローディング式の用紙トレイ・用紙カセットにも用紙をセットすることが可能である。また、本体装置に付設された大量給紙トレイなど、オプションの給紙装置に対しても本発明による用紙補給・搬送補助装置は有効である。
【図面の簡単な説明】
【００４７】
【図１】本発明に係る用紙補給・搬送補助装置の一例を示す斜視図である。
【図２】用紙補給・搬送補助装置の３面図であり、（ａ）は正面図、（ｂ）は側面図、（ｃ）は背面図である。
【図３】用紙載置部の斜視図である。
【図４】支持板を移動させる様子を示す斜視図である。
【図５】ガイド板と支持板を示す部分斜視図である。
【図６】支持板の駆動機構を示す模式図である。
【図７】連絡ガイドに設けた曲線部を示す模式図である。
【図８】１対のガイド板間の距離を調節する様子を示す模式図である。
【図９】用紙載置部に用紙を載置する様子を示す模式図である。
【図１０】用紙セット作業を説明するための斜視図である。
【図１１】台車部の位置決めの様子を示す斜視図である。
【図１２】支持板を移動させて用紙をセットする様子を示す模式図である。
【図１３】用紙セット後に用紙載置部を上昇させる様子を示す斜視図である。
【図１４】画像形成された印刷物を搬送する場合を説明するための斜視図である。
【図１５】排紙トレイから印刷物を載せかえる様子を示す斜視図である。
【符号の説明】
【００４８】
１              用紙補給・搬送補助装置
１０            台車部
２０            用紙載置部
１１            メインフレーム
１２            駆動ユニット
１４            ガイドバー（位置決め手段）
１６，１７      スイッチ
２１            ガイド板（ガイド部材）
２３            支持板
２４            支持アーム
２５            連絡ガイド
２６            用紙保持部
３０            指示板駆動ユニット
１００          画像形成装置
１０１          給紙トレイ
【図１】
2009029291.tif 000003
【図２】
2009029291.tif 000004
【図３】
2009029291.tif 000005
【図４】
2009029291.tif 000006
【図５】
2009029291.tif 000007
【図６】
2009029291.tif 000008
【図７】
2009029291.tif 000009
【図８】
2009029291.tif 000010
【図９】
2009029291.tif 000011
【図１０】
2009029291.tif 000012
【図１１】
2009029291.tif 000013
【図１２】
2009029291.tif 000014
【図１３】
2009029291.tif 000015
【図１４】
2009029291.tif 000016
【図１５】
2009029291.tif 000017